Podtech/llm-jp-corpus-v4-ja_patent huggingface dataset:
(57)【要約】【課題】合成繊維と天然素材繊維の利点を合わせ持ち、袋状の中に手を入れ垢すり・角質とりタオルとしても使用でき、浴用セットを入れ通し紐を持てば浴用バッグにもなる。またタオルを通し紐に通し巻くことでヘアキャップ・ヘアターバン・サウナヴェール・襟巻きにも使用できる多機能ボディタオルを提供する。【解決手段】合成繊維（１）面と天然繊維（２）面を合わせた袋状で、袋上部に通し紐（３）を備え、袋底部は細めた多機能ボディタオルを特徴とする。【選択図】図１
2008212606.tif 000002
【特許請求の範囲】
【請求項１】
合成繊維（１）面と天然素材繊維（２）面を合わせた袋状で袋上部に通し紐（３）を備え袋底部は細めた多機能ボディタオル。
【発明の詳細な説明】
【技術分野】
【０００１】この発明は合成繊維の面と天然素材繊維の面を持ち、通し紐を備えた袋状の多機能性ボディタオルに関するものである。
【背景技術】
【０００２】天然素材繊維と合成繊維を合わせ織り込んだボディタオルがあった。
【発明の開示】
【発明が解決しようとする課題】
【０００３】  単に体を洗う機能しかないタオルであり、ヘアターバン、ヘアキャップ、垢すりタオル、角質とり、サウナヴェール、浴用セットを入れるバッグなどを別に用意する必要があり、煩雑とする欠点があった。
【課題を解決するための手段】
【０００４】  合成繊維（１）と天然素材繊維（２）を合わせて袋状にし、袋上部に通し紐（３）を備え、袋底部を細める。本発明は以上の構成よりなる多機能ボディタオルである。
【発明の効果】
【０００５】  泡立ちのよい合成繊維と肌に優しい天然素材繊維の利点を合わせて使用でき、袋状の中に手を通し合成繊維面で垢すりや角質とりができる。また通し紐にタオルを通し、頭に巻くとヘアキャップやヘアターバンになり、顔に巻くとサウナヴェールになり、首に巻くと半身浴時の肩冷え防止襟巻きになる。袋状の中に浴用セットを入れて通し紐を持てば簡易バッグにもなる。
【発明を実施するための最良の形態】
【０００６】合成繊維（１）と天然素材繊維（２）を合わせて袋状にする。袋上部に丈夫な通し紐（３）を備え、袋底部は通し紐（３）に通しやすく、また垢すりなどで手の指が扱いやすくするため先を細くカーブさせる。通し紐（３）はタオルの厚さや長さで二本使いのパターンを使用する。
【図面の簡単な説明】
【０００８】
【図１】本発明の斜視図である。
【図２】本発明の平面図である。
【図３】本発明の通し紐二本使いのパターンである。
【符号の説明】
【０００９】１、合成繊維
２、天然素材繊維
３、通し紐
【図１】
2008212606.tif 000003
【図２】
2008212606.tif 000004
【図３】
2008212606.tif 000005
(57)【要約】【課題】栗は、そのまま煮て食したり、菓子に加工されたりして非常によく食べられている。天津甘栗やマロングラッセ等である。しかし、この栗を利用したジュース等はまったく存在しなかった。そこでこの栗を利用して美味な飲料や菓子を提供する。【解決手段】栗の破砕物又は粉砕物が１０重量％以上、シロップが２０重量％以上、果物又は果汁が５重量％以上を含む飲料、及び栗の破砕物又は粉砕物が１０重量％以上、シロップが１０重量％以上、牛乳が２０重量％以上を含む飲料。【選択図】  なし【特許請求の範囲】
【請求項１】
栗の破砕物又は粉砕物が１０重量％以上、シロップが２０重量％以上、果物又は果汁が５重量％以上を含むことを特徴とする栗飲料。
【請求項２】
栗の破砕物又は粉砕物が１０重量％以上、シロップが１０重量％以上、牛乳が２０重量％以上を含むことを特徴とする栗飲料。
【請求項３】
栗の破砕物又は粉砕物が１０重量％以上、シロップが２０重量％以上、果物又は果汁が５重量％以上を含む流動物をシャーベット状にしたことを特徴とする栗菓子。
【請求項４】
栗の破砕物又は粉砕物が１０重量％以上、シロップが１０重量％以上、牛乳が２０重量％以上を含む流動物をシャーベット状にしたことを特徴とする栗菓子。
【発明の詳細な説明】
【技術分野】
【０００１】
本発明は、栗飲料及び栗菓子に関するものである。
【背景技術】
【０００２】
栗は、そのまま煮て食したり、菓子に加工されたりして非常によく食べられている。天津甘栗やマロングラッセ等である。
しかし、この栗を利用したジュース等はまったく存在しなかった。
【発明の開示】
【発明が解決しようとする課題】
【０００３】
そこで、本発明では、この栗を利用して美味な飲料や菓子を提供する。
【課題を解決するための手段】
【０００４】
以上のような状況に鑑み、本発明者は鋭意研究の結果本発明栗飲料及び栗菓子を完成したものであり、その特徴とするところは、栗飲料にあっては、栗の破砕物又は粉砕物が１０重量％以上、シロップが２０重量％以上、果物又は果汁が５重量％以上を含む点にあり、他の態様では、栗の破砕物又は粉砕物が１０重量％以上、シロップが１０重量％以上、牛乳が２０重量％以上を含む点にあり、栗菓子にあっては、栗の破砕物又は粉砕物が１０重量％以上、シロップが２０重量％以上、果物又は果汁が５重量％以上を含む流動物をシャーベット状にした点にあり、他の態様では、栗の破砕物又は粉砕物が１０重量％以上、シロップが１０重量％以上、牛乳が２０重量％以上を含む流動物をシャーベット状にした点にある。
【０００５】
ここで栗の破砕物又は粉砕物とは、煮た栗をミキサーに掛けたようなもので細かくされたものである。破砕物や粉砕物のサイズは自由であり、栗の粒の食感を残したい場合には少し大きめにすればよい。即ち、ミキサーにかける時間を短くすればよい。
また、十分ミキサーにかけてほとんど粒が残らない程度でもよい。
【０００６】
このとして市販の瓶詰のものが好適に使用できる。瓶詰のものは味も付けられており、またそのシロップも後述するように使用できるため、非常に便利である。
【０００７】
勿論、生の栗（どのような種類の栗でもよい）を用いて、皮を剥き、それを煮て粉砕等すればよく瓶詰のものに限らない。また、生の栗の調理の方法も単に煮るだけでも、甘みその他の味を付けてもよい。
本発明飲料全体に、この栗の占める割合は、１０重量％以上である。これ以下では栗の風味が薄いためである。好ましいのは、３０〜５０重量％であり、試飲では最も好まれた。
【０００８】
シロップとは基本的には砂糖水であるが、それに限らず甘くて液状のものであればよい。例えば、水飴、メープルシロップ、蜂蜜等である。シロップとして混合せず、水と砂糖、水と甘味料等を加えて混合してもここでいうシロップである。甘さの程度は自由である。
シロップの含有量は、入れる果物の水分量によって変化するが、一般には２０〜７０重量％である。
【０００９】
ここでいう果物とは果物の固形物又は破砕物をいう。例えば、みかん、パイナップル、桃、リンゴ、バナナ、梨、イチゴ等であり、一般に果物として食べられているものであればなんでもよい。この果物の破砕サイズも自由であり、前記した栗と同様でよい。
【００１０】
果汁とは、果物を搾った液であり、レモン果汁、その他これもどのようなものでもよい。
果物や果汁の混合量は、５〜４０重量％程度である。
【００１１】
請求項１に記載の飲料は上記必須成分に他のものを添加してもよい。例えば、香料、着色剤、牛乳、生クリーム等である。
【００１２】
次に請求項２の飲料について説明する。
これは、請求項１の飲料の果物又は果汁に替えて牛乳を加えたものである。この飲料の栗の混合量は１０重量％以上であり、好適には１０〜３０重量％である。栗の使用法その他は請求項１と同様である。
【００１３】
牛乳は加工乳でも通常の牛乳でもよい。混合量は、２０重量％以上で、好ましくは３０〜７０重量％程度である。
【００１４】
また、シロップは、１０重量％以上である。牛乳が含まれているため、シロップの量は少なくなることが多い。
【００１５】
さらに本発明は、上記した飲料だけでなく、この飲料と同様のものをシャーベット状に凍らせてシャーベット菓子にしてもよい。スプーンで食べられる程度の硬さが好適である。
このシャーベットに水を加えて飲料にすることも可能である。
【発明の効果】
【００１６】
本発明飲料及び菓子には次のような大きな利点がある。
（１）  栗の風味が飲料で得られる。
（２）  また、牛乳との組み合わせでは、牛乳の嫌いな者でも容易に飲むことができ栄養補給にもよい。
（３）  シャーベットでは、食べやすく夏には最適である。
【発明を実施するための最良の形態】
【００１７】
以下実施例に基づいて、本発明をより詳細に説明する。
実施例１
瓶詰の栗４０重量部、みかん２０重量部、それに瓶詰の栗に入っているシロップ４０重量部を混合し、それをミキサーに掛けた。どろどろのジュース状のものができた。
【００１８】
実施例２
瓶詰の栗２０重量部、牛乳６０重量部、それに瓶詰の栗に入っているシロップ２０重量部を混合し、それをミキサーに掛けた。どろどろのジュース状のものができた。
【００１９】
実施例３
実施例１の飲料を冷凍庫で凍らせてシャーベットにした。スプーンで容易にすくえる程度である。
【００２０】
実施例４
実施例２の飲料を冷凍庫で凍らせてシャーベットにした。スプーンで容易にすくえる程度である。
【００２１】
以上４つの例を１０人の小学生と１０人の大人（女性）に試飲、試食してもらったところ、全員がおいしいと言った。
(57)【要約】      （修正有）【課題】切断したロールペーパーの先端が常時簡単に紙押さえカバーの外に引き出し出来る装置を提供する。【解決手段】ロールペーパーＤの軸Ｈに紙送り用のレバーＡと、レバーＢに連動するロールペーパーＤの回転制御用の突起部Ｍを持つカバーＣで構成する。ロールペーパーＤの回転には軸Ｈとペーパー芯Ｆとの自然摩擦を利用し、軸Ｈの戻り時にはカバーＣでロールペーパーＤの回転を制御するようにした。紙送りレバーＡを手前に倒すことによりロールペーパーＤの先端が約２センチ程度引き出されロールペーパーＤの使用に好都合な状態となる。この状態でレバーＡを放せば、レバーＡはバネＧの引き戻し補助も加わり、次回の使用準備が完了する。レバーＡが戻る過程ではロールペーパーＤはレバーＢの作用で逆戻りを制御され、レバーＡの前倒し時にはカバーＣとロールペーパーＤの間に空間を作ることで前側にのみスムースな回転が可能となる。【選択図】図１
2008212598.tif 000002
【特許請求の範囲】
【請求項１】
図２、図４のようにペーパーロール軸にＡ、Ｂのレバーを取付けたロールペーパーの送り出し方式。
【請求項２】
図５のペーパーカバーＣにレバーストップ用切欠きＫを設定し、レバーＡの回転角度に合せてレバーＢが図３のペーパーカバーを持上げつつ切欠き部でカバーＣをペーパー上に降ろし、戻しバネＧによりカバーを持上げることなくの外側を元位置に戻るロールペーパーの回転機構。
【請求項３】
図１、図５で、カバー重量Ｗ、ペーパー押え突起Ｍ、図５、図６で、Ｋが示すパターンを持つレバーストップ用切欠を設定したペーパーカバーＣの機能構造。
【発明の詳細な説明】
【技術分野】
【０００１】トイレで使用するロールペーパーホルダー
【背景技術】
【０００２】これまで一般的に使用されているロールペーパーホルダーではロール紙を引き出して切断した時にロール紙の先端が残らないため次回の使用時に紙の先端を手で探し出す作業にせまられる。
【発明の開示】
【発明が解決しようとする課題】
【０００３】使用時にロールペーパーの先端を簡単円滑に引き出し出来るようにしようとするもの。
【問題を解決するための手段】
【０００４】請求項１で、ロールペーパーを送り出すためのレバーＡ、Ｂをペーパーロール軸に取付けて、回転軸を取出し方向に傾けることでロールペーパーの先端を引き出しに都合の良い状態にする紙送り機構とする。
【０００５】図３、図１で、ペーパーロール軸Ｈとロールペーパー芯Ｆとの間には空間があり少しの抵抗でも空回りするため、初期回転作動中にはカバーＣとロールペーパーＤの間にレバーＢで空間を作りスムースな紙送りを可能にする。
【０００６】図５、図６で、レバーＡの紙送りが進み、レバーＢがレバーストップ用切欠きＫに到達した時カバーはＫの凹部からロールペーパー上に降ろされる。
【０００７】図２、図４で、カバー持ち上げに作動したレバーＡ、レバーＢは戻し用バネＧにより初期の状態に戻される。引戻される時レバーＡ、レバーＢはカバー凹みの外側を戻るため降ろされたカバーはロールペーパーＤにブレーキ作用を与え、ペーパーロール軸Ｈとロールペーパー芯Ｆは空回りの状態で作動することになる。
【０００８】図３、図５で、ペーパーカバーＣにはペーパー押さえ突起Ｍがあり、突起はロールペーパーＤ上の一点にペーパーカバーＣの重力を加えて逆戻りにブレーキをかけるよう逆三角形の突起状に作られている。加えてカバーの上下移動を促進するためカバーには重量Ｗが取付けられる。
【０００９】ペーパー押え突起Ｍは、ロールペーパーＤの太さの大小によりペーパーカバーが上下に移動した時も常にロールペーパー上で一点支持が可能な位置に設定されなければならない。
【００１０】カバー用重量Ｗは、ロールペーパーＤの太さの大小によりペーパーカバーが上下に移動した時も常にロールペーパーの表面に接することのない位置に取付けられる。又この時レバーＢには作動域を拡げるため半月型の切欠きＳが必要となる。
【００１１】レバーＡは切欠き部Ｋとの関連では、サイドを前後に通過するため切欠き巾より広くすることによって円滑な操作が可能となる。又レバーＢと切欠き部Ｋとの関連では、レバーＢの巾は切欠き部より巾を狭くすることでカバーＣの持上げ作業より開放され、カバーＣはレバーＢに沿ってロールペーパー上に降ろされることになる。
【発明を実施するための最良の形態】
【００１２】ロールペーパーホルダーは図７の器具フレームＬを壁面などに取付けた状態で使用するものとする。
【実施例】
【実施例１】
【００１３】ペーパーの送り出しは本器具のペーパーロール軸Ｈとロールペーパー芯Ｆとの微小な回転摩擦エネルギーを利用したもので、結果的には後退方向へのロールペーパー回転は常にブレーキが掛けられた状態となり、レバーＡでの紙送り時にはブレーキが解除されている状態になる。
【実施例２】
【００１４】実施例１の特徴を具備するロールペーパーホルダーは、ロール紙の装填を優先したホルダー以上に利便性を優先したもので使用する環境では、より有効性が発揮される。
【発明の効果】
【００１５】ロールペーパーの先端部が見当たらない時はレバーを引くことにより素早く先端を引き出すことができる。
【図面の簡単な説明】
【図１】側面図
【図２】操作レバー説明図１
【図３】操作説明側面図
【図４】操作レバー説明図２
【図５】操作レバー上面説明図１
【図６】操作レバー上面説明図２
【図７】本体上面透し図
【図８】操作レバー説明図３
【符号の説明】
Ａ  操作レバーＡ          Ｈ  ペーパーロール軸
Ｂ  操作レバーＢ          Ｋ  レバーストップ用切欠き
Ｃ  ペーパーカバー        Ｌ  器具フレーム
Ｄ  ロールペーパー        Ｍ  ペーパー押え突起
Ｅ  ペーパー先端          Ｓ  切欠き
Ｆ  ロールペーパー芯      Ｗ  カバー用重量
Ｇ  戻し用バネ
【図１】
2008212598.tif 000003
【図２】
2008212598.tif 000004
【図３】
2008212598.tif 000005
【図４】
2008212598.tif 000006
【図５】
2008212598.tif 000007
【図６】
2008212598.tif 000008
【図７】
2008212598.tif 000009
【図８】
2008212598.tif 000010
(57)【要約】【課題】  円形の穴を見る方向を変えたとき、ハート形に形成されるようにし、そのアクセサリーが使用されている場の雰囲気を盛り上げることができるアクセサリーの提供。【解決手段】  円形の穴において、その正面の円形の上部のまわりにハートの上部の形の凹みを、背面の円形の下部にハートの下部の形の凹み設けることで、円形の穴を斜めから見たとき、ハート形に形成するアクセサリー。【選択図】図１
2008212594.tif 000002
【特許請求の範囲】
【請求項１】
円形の穴をもつアクセサリーであって、その穴を斜め上方または斜め下方から見たときハート形に形成するアクセサリー。
【請求項２】
二個の輪の形をしたアクセサリーを重ね合わせることで、その輪の内径を斜め上方または斜め下方から見たとき、ハート形に形成する二個一組のアクセサリー。
【発明の詳細な説明】
【技術分野】
【０００１】  本発明は、円形の穴を斜め上方または斜め下方から見たとき、ハート形に形成するアクセサリーに関するものである。
【背景技術】
【０００２】  アクセサリーのデザインは、それが最も惹き立つ向きを中心に作られるのが一般的であり、円形の穴をもつアクセサリーは、その穴が「円」という形のみで、デザインの一部に使われている。また、円形の穴がアクセサリーで利用されるのは、ネックレスを通すためや指輪など、身に着けるための手段と利用されているだけである。
【発明の開示】
【発明が解決しようとする課題】
【０００３】  以上のように、円形の穴を見る方向を変えたとき、その「円」という形を変化させることは行われていない。【０００４】  そこで、本発明は、その円形の穴を斜め上方または斜め下方から見たとき、ハート形に形成されるようにし、そのアクセサリーが使用されている場の雰囲気を盛り上げることができるアクセサリーを提供することである。
【課題を解決するための手段】
【０００５】  この課題を解決するための請求項１の発明は、円形の穴の正面の上部には、ハート形の上部（二個の山になった部分）をかたどった凹みを、正面から背面に向けて斜め下方に下がるように設け、背面の円形の下部にはハートの下部（尖った部分）をかたどった凹みを、背面から正面に向けて斜め上方に上がるように設けることにより、斜め上方または斜め下方から見たときハート形に形成される。【０００６】  また、請求項２の発明は、一方の輪の内径の上部には、ハート形の上部（二個の山になった部分）をかたどった凹みを正面から背面に向けて斜め下方に下がるように設け、もう一方の輪の内径の下部には、ハート形の下部（尖った部分）をかたどった凹みを、背面から正面に向けて斜め上方に上がるように設ける。そして各々の輪の平らな面（凹みを設けていない面）を合わせ、かつ各々の輪の凹みが１８０度に対向するように重ねることにより、斜め上方または斜め下方から見たとき、ハート形に形成される。
【発明の効果】
【０００７】  本発明により、斜めから見たときにだけハート形に形成されるため、見る人に興味を起こさせ、特にハート形が関係する結婚、誕生日、バレンタインデーなどの贈り物に利用することにより、その場の演出効果を上げ、当事者の気分を盛り上げることができる。【０００８】  請求項２の発明を、二個一組の指輪に用いた場合は、二個の指輪を重ね、斜めから見たときにだけハートに形成されるため、カップルの愛情や連帯感などの気分を盛り上げることができる。【０００９】  また、正面および背面方向での穴の形において、円形が保持されているため、特に指輪に用いたときは、心地よい装着感を損なわれないようにすることができる。
【発明を実施するための最良の形態】
【００１０】  本発明は、円形の穴を持つすべてのアクセサリーに使用することができ、例えば、指輪円形の穴を持つペンダント、ブローチ、ブレスレットなどに利用できる。【００１１】  本発明において、斜めから見たときにハートを美しく形成させるために、ある程度の厚みをもたせる。【００１２】  本発明において、穴を正面または背面から見て円形を保つために、ハートの上部および下部の凹みの深さは反対側の面まで達しないようにする。【００１３】  本発明において、ハートの上部および下部の凹みの縁の角を取り、滑らかにすることでハート形をかたどるための形跡が目立たなくなり、ハートの出現効果を盛り上げることができる。
【実施例】
【００１４】  図１（ａ）は、請求項１の発明を斜め上方から見たときに、ハート形が形成されている図である。斜め上方または斜め下方から見たときに、ハート形を形成するために、正面の円形の穴の上部にはハート形の上部の形１を、図１（ｂ）が示すように、正面から背面に向けて斜め下方に下がる凹み３を設け、背面の円形の下部にはハートの下部の形２を、図１（ｂ）が示すように、背面から正面に斜め上方に上がる凹み４を設ける。【００１５】  図４は、請求項２の発明において、二個の輪の形をしたアクセサリーを重ね、斜め上方から見たときに、ハート形が形成されている図である。斜め上方または斜め下方から見たときにハート形を形成するために、一方の輪の内径の上部には、ハート形の上部の形５を図３（ｂ）が示すように、正面から背面に向けて斜め下方に下がる凹み７を設け、もう一方の輪の内径の下部には、ハート形の下部の形６を、図４（ｂ）が示すように、背面から正面に斜め上方に上がる凹み８を設ける。
【産業上の利用可能性】
【００１６】  本発明に係るアクセサリーは、工業的に量産することが可能であるため、産業上の利用可能性を有する。
【図面の簡単な説明】
【００１７】
【図１】  （ａ）は請求項１の発明を正面の斜め上方から見た図、（ｂ）は同Ａ−Ａ’断面図、（ｃ）は同正面図、（ｄ）は同背面図である。
【図２】  請求項２の発明において、二つの輪の形をしたアクセサリーを重ね、それを正面斜め上方から見た図である。
【図３】  （ａ）は請求項２の発明において、一方の輪を正面の斜め上から見た図、（ｂ）は同Ａ−Ａ’断面図、（ｃ）は同正面図である。
【図４】  （ａ）は請求項２の発明において、もう一方の輪を正面の斜め上から見た図、（ｂ）は同Ａ−Ａ’断面図、（ｃ）は同背面図である。
【符号の説明】
【００１８】１  ハート形の上部の形
２  ハート形の下部の形
３  凹み
４  凹み
５  ハート形の上部の形
６  ハート形の下部の形
７  凹み
８  凹み
【図１】
2008212594.tif 000003
【図２】
2008212594.tif 000004
【図３】
2008212594.tif 000005
【図４】
2008212594.tif 000006
(57)【要約】      （修正有）【課題】バリアー性能が高く、すなわち美容液等を経時的な劣化が少ない状態で保持でき、且つ美容液等がスキンシート収容部に流れ込んだ時に、中の様子、シートが美容液を含んだ状態を、使用者が見て確認できる収容具を提供することである。【解決手段】二枚の薄膜体の周辺部どうしを接着した、密封された袋体内にイージーシール部分２を挟んで二つの収容部３、５が設けられ、一方の美容液等４を収容してある収容部の天側薄膜体８は透明フィルムにアルミ蒸着またはアルミ箔加工をしたものとし、他方の前記液体を含浸させるスキンシート６及び前記液体によって変化する美容成分等の収容部の天側薄膜体９は透明フィルムとする。【選択図】図１
2008212596.tif 000002
【特許請求の範囲】
【請求項１】
二枚の薄膜体の周辺部どうしを接着した、密封された袋体内にイージーシール部分を挟んで二つの収容部が設けられ、一方の美容液等を収容してある収容部の天側薄膜体は透明フィルムにアルミ蒸着またはアルミ箔加工をしたものであり、他方の前記液体を含浸させるスキンシート及び前記液体によって変化する美容成分等の収容部の天側薄膜体は透明フィルムであることを特徴とする収納具。
【発明の詳細な説明】
【技術分野】
【０００１】本発明は、スキンシートと美容液等を隔離して収容し、使用する直前まで前記物質・材料を一定期間安定して収容・保管しておく収容用容器に関するものである。
【背景技術】
【０００２】従来、スキンシートに美容液等を含ませて使用する美容用収容具は、経時的な劣化を避けるため、美容液等とスキンシート及びビタミンＣ等の、液によって変化しやすい粉体・錠剤等は使用直前まで隔離して収容される。【０００３】そのための収容具として、二枚の薄膜体の周辺部どうしを接着した、密封された袋体内にイージーシール部分を挟んで二つの収容部が設けられ、一方は美容液等を収容し、他方は前記液体を含浸させるスキンシート及び前記液体によって変化しやすい美容成分等が収容される。【０００４】使用時には、美容液等の収容部を握る、叩く等の衝撃を加えることにより接着の弱いイージーシール部分が剥がれ、美容液等がスキンシート収容部に流入することで使用可能状態になる。【０００５】ところで、収容具を構成する薄膜体としてはＰＥＴフィルムや、アルミ箔フィルム、アルミ蒸着フィルムがあるが。美容・医療等に用いられる物質・材料には一定の品質保証期間が求められるため、光や空気に対するバリアー性能の高い、すなわち経時的な劣化の少ないアルミ箔フィルム、アルミ蒸着フィルムが望ましい。
【発明の開示】
【０００６】しかしながら、アルミ箔フィルム、アルミ蒸着フィルムは不透明であるから、美容液等がスキンシート収容部に流れ込んだ時に、中の様子、シートが美容液を含んだ状態を、使用者が見て確認できないという欠点がある。そのため、地側の薄膜体をアルミ箔フィルム、アルミ蒸着フィルムとし、天側の薄膜体を透明ＰＥＴフィルムとする折衷案的な収容具も考案されているが、バリアー性能が低下することによる経時的な劣化は避けられない。
【発明が解決しようとする課題】
【０００７】本発明の技術的課題は、バリアー性能が高く、すなわち美容液等を経時的な劣化が少ない状態で保持でき、且つ美容液等がスキンシート収容部に流れ込んだ時に、中の様子、シートが美容液を含んだ状態を、使用者が見て確認できる収容具を提供することである。
【課題を解決するための手段】
【０００７】前記課題を解決するため本発明は、二枚の薄膜体の周辺部どうしを接着した、密封された袋体内にイージーシール部分を挟んで二つの収容部が設けられ、一方の美容液等を収容してある収容部の天側薄膜体をアルミ蒸着フィルムまたはアルミ箔フィルムとし、他方の前記液体を含浸させるスキンシート及び前記液体によって変化する美容成分等の収容部の天側薄膜体を透明フィルムとする。
【発明の効果】
【０００８】上述した構成により、バリアー性能が高く、すなわち経時的な劣化が少ない収容具であって、且つ美容液等がスキンシート収容部に流れ込んだ時に、中の様子、シートが美容液を含んだ状態を、使用者が見て確認できるという効果がある。
【発明を実施するための最良の実施の形態】
【０００９】本発明は、二枚の薄膜体の周辺部どうしを接着する、密封された袋体内にイージーシール部分を挟んだ二つの収容部を設けた収納具において地側の薄膜体を共通のアルミ蒸着フィルムまたはアルミ箔フィルムとし、一方の美容液等を収容してある収容部の天側薄膜体部分に透明フィルムにアルミ蒸着またはアルミ箔加工をし、他方の前記液体を含浸させるスキンシート及び前記液体によって変化する美容成分等の収容部の天側薄膜体は透明フィルムそのままの構成とする。
【実施例】
【００１０】本発明の実施の形態を図１に基づいて説明する。図１において袋体１は、イージーシール部分２を挟んで、第一収容部３には美容液等４が収容され、第二収容部５にはスキンシート６及び美容液等によって変化しやすいビタミンＣ等の粉体・錠剤（図は省略）が収容される。【００１１】両収容部の地側薄膜体７はアルミ蒸着フィルムまたはアルミ箔フィルムである。第一収容部の天側薄膜体８は透明フィルムにアルミ蒸着またはアルミ箔加工をしたものであり、第二収容部の天側薄膜体９は透明フィルムそのままで構成される。【００１２】上述の構成により、美容液等を収容する第一収容部はバリアー性能が高いので経時的な劣化が少なく、且つ美容液等がスキンシート収容部に流れ込んだ第二収容部は、透明部分から中の様子、シートが美容液を含んだ状態を、使用者が見て確認できるのである。
【図面の簡単な説明】
【図１】本発明品の実施例を概略的に示す説明図
【符号の説明】
１  袋体
２  イージーシール部分
３  第一収容部
４  美容液等
５  第二収容部
６  スキンシート
７  地側薄膜体
８  第一収容部の天側薄膜体
９  第二収容部の天側薄膜体
【図１】
2008212596.tif 000003
(57)【要約】【課題】特に大型の被固定物又は重量の大きな被固定物を床面等の水平支持面上に支障なく固定することができるようにした転倒防止用固定具を提供する。【解決手段】下面に粘着マット３を備えた基板１には上方に向けてボルト５を突設し、被固定物７における脚９の下端には水平方向の延長部１１を設け、該延長部には切り欠き１３を備えさせ、該延長部の切り欠きに該ボルトを抱持させた状態で該ボルトにナット１５を螺合させて締め付けることにより該ナットを該延長部の上面１１ｂに圧接させるようにしたことを特徴とする転倒防止用固定具。【選択図】図１
2008212328.tif 000002
【特許請求の範囲】
【請求項１】
下面に粘着マットを備えた基板には上方に向けてボルトを突設し、被固定物における脚の下端には水平方向の延長部を設け、該延長部には切り欠きを備えさせ、該延長部の切り欠きに該ボルトを抱持させた状態で該ボルトにナットを螺合させて締め付けることにより該ナットを該延長部の上面に圧接させるようにしたことを特徴とする転倒防止用固定具。
【発明の詳細な説明】
【技術分野】
【０００１】
本発明は、機器、家具等の被固定物の転倒防止用固定具に関するものであり、特に、大型の被固定物又は重量の大きな被固定物が例えば地震発生時等の衝撃、振動等により転倒することを防止するために、該被固定物を床面等の水平支持面上に固定するようにした転倒防止用固定具に係るものである。
【背景技術】
【０００２】
本出願人の出願に係る特開２００６−５５３７７号公報は、上板と下板とを一側縁にて相互に連結して略コ字状体を形成し、該上板には他側縁より該一側縁方向に切り欠きを形成し、該下板の下面には粘着マットを備えさせてなる転倒防止用固定具（以下「従来の転倒防止用固定具という。」を開示している。
【特許文献１】特開２００６−５５３７７号公報
【発明の開示】
【発明が解決しようとする課題】
【０００３】
しかるに、上記従来の転倒防止用固定具には次のような問題がある。
【０００４】
従来の転倒防止用固定具により被固定物を固定する場合には、被固定物の脚を上板の切り欠きに抱持させた状態で該脚を下板上に載置する必要がある。しかるに、特に大型の被固定物又は重量の大きな被固定物の場合にはその脚が太いため、該脚を上板の切り欠きに抱持させることは現実的でない。また、被固定物の脚を上板の切り欠きに抱持させた状態で該脚を下板上に載置するのみでは、該脚を転倒防止用固定具に十分には固定できないという問題もある。
【０００５】
本発明は、従来の転倒防止用固定具における上述の如き問題を解決し、特に大型の被固定物又は重量の大きな被固定物を床面等の水平支持面上に支障なく固定することができるようにした転倒防止用固定具を提供しようとしてなされたものである。
【課題を解決するための手段】
【０００６】
上記課題を解決するために、本発明は、下記の転倒防止用固定具を提供する。
【０００７】
下面に粘着マットを備えた基板には上方に向けてボルトを突設し、被固定物における脚の下端には水平方向の延長部を設け、該延長部には切り欠きを備えさせ、該延長部の切り欠きに該ボルトを抱持させた状態で該ボルトにナットを螺合させて締め付けることにより該ナットを該延長部の上面に圧接させるようにしたことを特徴とする転倒防止用固定具。
【発明の効果】
【０００８】
本発明によれば、被固定物における脚の下端に設けた延長部の切り欠きに基板上のボルトを抱持させた状態で該ボルトにナットを螺合させて締め付けることにより該ナットを該延長部の上面に圧接させ、以て該脚を該基板に固定するようにしたため、該切り欠きに脚を抱持させる必要はない。したがって、大型の被固定物又は重量の大きな被固定物の太い脚についても、基板に確実に固定することができる。
【０００９】
基板の下面に粘着マットを備えさせているため、被固定物を固定する床面等の水平支持面に傷が付くおそれがない。また、この転倒防止用固定具は取り付け、取り外しが容易である。
【発明を実施するための最良の形態】
【００１０】
符号１に示すものは基板である。
【００１１】
基板１はその下面１ａに粘着マット３を備えている。
【００１２】
粘着マット３は、一例として、粘着性を備えたゲル状の超軟質ウレタンにより形成された板状片とする。
【００１３】
基板１は好ましくは平板とするが、基板１は、その下面１ａが平らであれば足り、必ずしも全体が平板である必要はない。
【００１４】
基板１には上方に向けてボルト５を突設する。すなわち、一例として、基板１上にボルト５の下端を溶接する。
【００１５】
機器、家具等の被固定物７における脚９の下端には水平方向の延長部１１を設ける。延長部１１は、一例として、被固定物７における脚９の下端に溶接により取り付ける。
【００１６】
延長部１１は好ましくは平板とするが、延長部１１は、その下面１１ａが平らであれば足り、必ずしも全体が平板である必要はない。
【００１７】
延長部１１には一方の縁より切り欠き１３を形成する。切り欠き１３は、一例として略Ｕ字状に形成する。
【００１８】
延長部１１の切り欠き１３にボルト５を抱持させた状態で該ボルト５にナット１５を螺合させて締め付けることにより該ナット１５を該延長部１１の上面１１ｂに強力に圧接させるようになす。
【００１９】
基板１下面１ａの粘着マット３は、床面等の水平支持面１７に粘着する。したがって、機器、家具等の被固定物７は転倒防止用固定具を介して水平支持面１７に固定される。
【００２０】
なお、基板１には複数本のボルト５、５・・・を突設し、延長部１１には複数個の切り欠き１３、１３・・・を形成し、各切り欠き１３にボルト５を抱持させた状態で各ボルト５にナット１５を螺合させて締め付けることにより該ナット１５を該延長部１１の上面１１ｂに強力に圧接させるようにしても差し支えない。
【図面の簡単な説明】
【００２１】
【図１】本発明による転倒防止用固定具の一例の使用状態を示す斜視図である。
【図２】同上の断面図である。
【図３】同上の平面図である。
【符号の説明】
【００２２】
１  基板
１ａ  下面
３  粘着マット
５  ボルト
７  被固定物
９  脚
１１  延長部
１１ａ  下面
１１ｂ  上面
１３  切り欠き
１５  ナット
１７  水平支持面
【図１】
2008212328.tif 000003
【図２】
2008212328.tif 000004
【図３】
2008212328.tif 000005
(57)【要約】【課題】パチンコ店における出玉収納箱を床面から計数機受入口間を昇降する装置の提供を目的とする。【解決手段】計数機２を囲繞する状態で配置した昇降枠３には、昇降板４と昇降手段５とを具備し、昇降板４は、遊技台より収納箱７を運搬してきた台車８を床面より乗り上げ自在となっている。昇降手段５は、操作手段６の上昇スイッチ６aにより所定の位置まで台車８を上昇、到達可能とし、リミットスイッチ６ｂにより停止することにより収納箱７に収納されたパチンコ玉７aが流入可能となる。次に操作手段６の下降スイッチ６cにより昇降手段５は台車８を下降し、所定の位置に到達するとリミットスイッチ６bにより下降を停止する。また昇降板４は可動式停止板４aを具備し、台車８の停止に依る車輪８aの回転停止により、台車８の落下を防止している。また昇降板４は、客の往来の妨げ防止と事故予防の為に、休止時には折り畳み可能であることを特徴とする。【選択図】図１
2008212379.tif 000002
【特許請求の範囲】
【請求項１】
パチンコ玉計数機を囲繞し昇降する昇降枠を有することを特徴とするパチンコ玉収納箱の昇降装置。
【請求項２】
前記昇降板に収納箱用台車の積載が乗り上げ自在で、且つ、収納箱用台車の落下防止機能を有する可動式停止板を具備していることを特徴とする請求項1に記載のパチンコ玉収納箱の昇降装置。
【請求項３】
前記昇降板が折り畳み自在であることを特徴とする請求項1または２に記載のパチンコ玉収納箱の昇降装置。
【発明の詳細な説明】
【技術分野】
【０００１】
本発明は、パチンコ店におけるパチンコ玉収納箱を計数機の受入口近傍まで運搬する装置に関するものである。
【背景技術】
【０００２】
パチンコ店において、遊技者が獲得した出玉を収納するパチンコ玉収納箱（以下収納箱）は、その大きさにより若干の差異はあるが、概ね１箱あたりパチンコ玉を3000発前後収納可能であり、その重量は凡そ15ｋｇ前後にも上り、これを景品等と交換する手段として、店内のパチンコ玉計数機（以下計数機）が設置された所定の場所まで店員が人力もしくは台車等に積載し運搬するのが一般である。
【０００３】
店員が人力もしくは台車等により計数機近傍まで運搬した収納箱のパチンコ玉は、その後、所定の設置台に置かれた計数機の出玉受入口（以下受入口）より流入され計数される。この際、店員は腰を屈めて中腰の状態となり、凡そ15ｋｇにも上る収納箱を計数機の受入口まで持ち上げなければならず、腰を痛めることがある。
【発明の開示】
【発明が解決しようとする課題】
【０００４】
本発明は、遊技台近傍より台車等により運搬されてきた収納箱を店員が腰を屈めたり中腰の状態で持ち上げたりすることなく、計数機の受入口に出玉を流入することが可能となる昇降装置を提供することを目的とする。
【課題を解決するための手段】
【０００５】
前述の課題を解決する手段を図1の投影図にて説明する。本装置のフレーム1の領域内に計数機２を設置し、これを囲繞するように昇降枠３を配置する。昇降枠３には昇降板４と昇降手段５とが具備され、昇降枠３は、昇降手段５の駆動により昇降自在となっている。また昇降手段５の始動と停止は操作手段６により制御する。
【０００６】
昇降枠３の前面部材に設けた昇降板４には、台車停止板４aが設けられ遊技台近傍より収納箱７を積載してきた台車８を床面で昇降板４に乗り上げて積載する際の落下防止の機能を果たしている。
【０００７】
昇降板４に積載された台車８は、操作手段６による昇降手段５の上昇により、計数機２の受入口２aまで、店員が腰を屈めたり、中腰になったりすることなく収納箱７を運搬することが可能となる。
【発明を実施するための最良の形態】
【０００８】
次に本発明の実施例を請求項の順に従って説明する。図２の平面図は、フレーム１の領域内に設けた架台１aに計数機２を設置し、その周囲に昇降枠３を配置し、昇降枠３が計数機２に干渉しないことを示している。
【０００９】
図３の側面図は前述の状態を具体的に説明したものである。昇降枠３は、昇降板４を具備し、昇降手段５の駆動により昇降可能な構造となっている。図３は、昇降手段５の駆動により床面９より計数機２の中央部辺りまで昇降枠３が上昇し、昇降板４に積載した台車８に同載した収納箱７より計数機２の受入口２aにパチンコ玉の流入が容易となった状態を示している。計数機２を昇降枠３が囲繞する配置にすることにより計数機２の受入口２a辺りまで収納箱７を上昇させることが可能となる。
【００１０】
図４は、床面に停止状態の昇降板４に収納箱７を積載した台車８を左右両方向より乗り上げ自在である状態と可動式停止板４aにより台車８を停止し、積載が完了した状態を示している。
【００１１】
図５は、可動式停止板４aが台車８の乗り上げによる状態毎の動きを示している。図５アは台車８が昇降板４に乗り上げ入口側の可動式停止板４aに接触した状態を示している。イは台車８がさらに進行し入口側の可動式停止板４aを押し下げた状態を示している。ウは台車８がさらに進行し出口側の可動停止板４aにより停止した状態を示している。
【００１２】
図６アは可動式停止板４aの一実施例を示したものである。イはその動作状況を示しており、通常はバネ等で直角に保持されているが、負荷がかかると負荷に応じて回動し、負荷が無くなると復元し、反対方向には回動しない構造となっている。
【００１３】
図７は、本発明の昇降装置が休止している時には客や店員の往来の妨げにならぬように昇降板４が折り畳み自在である状態を示している。
【図面の簡単な説明】
【００１４】
【図１】昇降装置の投影図
【図２】昇降装置の平面図
【図３】昇降装置の側面図
【図４】台車積載図
【図５】台車積載状況図
【図６】可動式停止板動作状況図
【図７】昇降板の折り畳み図
【符号の説明】
【００１５】
１：昇降装置の投影図
１a：架台
２：計数機
３：昇降枠
４：昇降板
４a：可動式停止板
５：昇降手段
６：操作手段
６a：上昇スイッチ
６b：リミットスイッチ
６c：下降スイッチ
７：収納箱
７a：パチンコ玉
８：台車
８a：車輪
９：床面
【図２】
2008212379.tif 000003
【図４】
2008212379.tif 000004
【図６】
2008212379.tif 000005
【図７】
2008212379.tif 000006
【図１】
2008212379.tif 000007
【図３】
2008212379.tif 000008
【図５】
2008212379.tif 000009
(57)【要約】      （修正有）【課題】屑箱の内面にポリ袋を装着して使用する場合が多くあるが、そのポリ袋を屑箱と一体の箱に複数枚収納しておき、必要な時に迅速に装着できる屑箱を提供する。【解決手段】板紙を用いて作った四角形の屑箱の、対面になる二面をそれぞれ半折し折り重ね、平面積を半分にできる伸縮機能を設ける。複数枚のポリ袋１を収納する小箱は、屑箱の半折しない面に接して設けて屑箱と一体にする。ポリ袋１の装着は、屑箱の二面を半折し平面積を使用している時より狭め、一枚のポリ袋１を取りだし屑箱の上部に被せた後、屑箱の底を押して平面積を拡げると容易にできる。【選択図】図４
2008285321.tif 000002
【特許請求の範囲】
【請求項１】
複数枚のポリ袋を収納した板紙製の折り重ね式屑箱。
【発明の詳細な説明】
【技術分野】
【０００１】この発明は、複数枚のポリ袋を収納できるようにし、板紙で作った折り重ね式屑箱に関するものである。
【背景技術】
【０００２】従来、ポリ袋が必要になる度に周囲を探して調達している。また、屑箱にポリ袋が容易に装着できる機能が無い。
【発明の開示】
【発明が解決しようとする課題】
【０００３】従来、屑箱の後始末を容易にするとか汚れを防ぐ為とかで、ポリ袋を屑箱内面に装着して使用している場合が多いが、ポリ袋が必要になった時に他から調達する必要がある。また、ポリ袋を装着する際に屑箱と寸法が接近していると装着が容易でない。
本発明は、以上の様な課題を解決するものである。
【課題を解決するための手段】
【０００４】板紙製の四角形箱の一片に接して複数枚のポリ袋が入れられる図１のような小箱を一体として設ける。また、四角形箱の体面になる二面を図３の様に折り畳む事ができる。
本発明は以上の形状と機能を持つ容器である。
【発明の効果】
【０００５】屑箱の一部分に複数枚のポリ袋を備える事で、必要になった時に毎々他から持ってくる手間が省ける。また、ポリ袋を装着する時、屑箱を板紙製四角形の折り重ね式にする事で、四角箱に被せ易くする事ができ迅速に装着できる。
【発明を実施するための最良の形態】
【０００６】以下、本発明を実施するための最良の形態について説明する。
剛性のある板紙（３００ｍ／ｇｍ２〜４００ｍ／ｇｍ２）を用いた折り重ね式の屑箱は正方形に近い事が望ましいが、折り重ねる二面は半折するのでやや短くする。箱の底面は半折面から折り込み機能を設ける為に底全面を平面にする事はできないが、折り込む形状に合せて底面を貼り合わせ底全面を塞ぐか、袋で箱の内面か外面から底全体を塞ぐ事が望ましい。
複数枚のポリ袋を収納する小箱の部分は四角形箱の半折しない面に接して設け、屑箱と一体となるようにし、その大きさはポリ袋の重量で屑箱が転倒しない範囲にする。
屑箱にポリ袋を装着する際は、屑箱の二面を折り込み四角形状より平面積を小さくし、ポリ袋を被せた後、折り込み機能により上へ持ち上がっている底を押して屑箱の平面積を使用時の広さに拡げて行うと装着が容易である。尚、装着するポリ袋を一枚取り出す際に、屑箱内に広がり易くする為に、収納箱と屑箱の接面の一部を切り裂きポリ袋が通り抜ける様にする。
本発明は、以上の様な構造と機能を持つものである。
【図面の簡単な説明】
【０００７】
【図１】    平面図である。
【図２】    立面図である。
【図３】    二面を半折し折り重ねた平面図である。
【図４】    斜視図である。
【符号の説明】
【０００８】    １    ポリ袋
【図１】
2008285321.tif 000003
【図２】
2008285321.tif 000004
【図３】
2008285321.tif 000005
【図４】
2008285321.tif 000006
(57)【要約】【目的】  あらゆる産業分野で発生する二酸化炭素を削減する。【構成】  自然にある雪、炭、シールド土を二酸化炭素の固定に利用する。【効果】  本発明は、地球温暖化防止の為、二酸化炭素の削減の一役を担い、環境保全及びコスト削減に効果がある。【選択図】図１
2008285392.tif 000002
【特許請求の範囲】
【請求項１】
貯蔵槽の雪に、触媒材の海水又は無塩海水又は低温温泉水又は鍾乳洞水を散布したところに、大気を換気させるか、又は基本標準図にあるように、触媒材の中に大気を通過させて、貯蔵槽の雪に大気に圧力をかけながら強制換気させることにより、又は自然換気させることにより二酸化炭素を固定させる。
【請求項２】
貯蔵槽の炭に、海触媒材の水又は無塩海水又は低温温泉水又は鍾乳洞水を散布したところに、大気を換気させるか、又は基本標準図にあるように、触媒材の中に大気を通過させて、貯蔵槽の炭に大気に圧力をかけながら強制換気させることにより、又は自然換気させることにより二酸化炭素を固定させる。
【請求項３】
貯蔵槽のシールド土（特に赤土）に、触媒材の海水又は無塩海水又は低温温泉水又は鍾乳洞水を散布したところに、大気を換気させるか、又は基本標準図にあるように、触媒材の中に大気を通過させて、貯蔵槽のシールド土（特に赤土）に大気に圧力をかけながら強制換気させることにより、又は自然換気させることにより二酸化炭素を固定させる。
【請求項４】
雪、又は炭、又はシールド土（特に赤土）に、触媒材を散布するか、大気を通過させた固定材（雪，炭，シールド土）は、持ち運びの出来る入れ物、又は野外の簡易貯蔵槽にも二酸化炭素を固定させる。
【請求項５】
海洋の、出来る限り深い海に、可能な限り暖かい大気を放出することで、二酸化炭素を固定させる。
【請求項６】
海洋の、表層の対流の激しいところに大気を分散して、放出することで、二酸化炭素を固定させる。
【請求項７】
炭は、請求項２と請求項４を活用して炭の置物、畳、屏風、襖、それと、車両に取り付けて、二酸化炭素を固定させる。
【発明の詳細な説明】
【発明の詳細な説明】
【産業上の利用分野】
【０００１】  あらゆる産業分野で多く発生する二酸化炭素の削減に有効である。例えば、降雪地帯における道路建設では、貯雪槽に造り雪を貯めて、二酸化炭素の固定をはかる。また、炭は車両に取り付けることで、二酸化炭素の固定をはかる。
【０００２】  雪の冷気を活用し二酸化炭素を固定することができるので、雪での冷房・冷蔵の際も電気エネルギーをほとんど必要としない。
【背景技術】
【０００３】  私は他の実験で、雪、炭が微量ながら二酸化炭素を吸収する効果を確認していたが、シールド土はなかった。
【発明が解決しようとする課題】
【０００４】  地球温暖化防止や自然環境保全が我が国でも緊急なテーマとなっている昨今、二酸化炭素削減や自然エネルギーの有効利用は大きな課題である。
【課題を解決するための手段】
【０００５】  二酸化炭素を削減するため自然の雪や炭や土を媒体とする。
【作用】
【０００６】  雪、炭、シールド土に触媒材の海水又は無塩海水又は低温温泉水又は鍾乳洞水と雪、炭、シールド土との結合結晶に固定させる作用である。
【実施例】
【０００７】  平成９年４月から平成１０年２月まで青森県弘前市の私の実験室で実証済みである。
【発明の効果】
【０００８】  二酸化炭素を自然界にあるもので削減させ、地球温暖化防止の一役を担う。
【図面の簡単な説明】
【０００９】
【図１】  貯蔵槽の基本標準断面図
【図１】
2008285392.tif 000003
(57)【要約】【課題】  従来の棒状のまつげエクステンション用人工まつげでは、まつげに接着する面積が少なくクレンジング・洗顔等の物理的刺激でまつげから取れるという不都合を解決すること。また、施術者にも高い技術が要求されたが、平易な技術でできること。【解決手段】  まつげ全体を包み込んで接着するため接着面積が広がる袋状まつげエクステンション用人工まつげ１などにより、この課題を解決する。【選択図】図１
2008285802.tif 000002
【特許請求の範囲】
【請求項１】
まつげ１本をすっぽり覆い被せることができる袋状を特徴とするまつげエクステンション用人工まつげ
【請求項２】
まつげ１本をすっぽり覆い被せることができる袋状の一部に切れ目を有したことを特徴とするまつげエクステンション用人工まつげ
【発明の詳細な説明】
【技術分野】
【００１】    本発明は、まつげエクステンション用人工まつげに関するものであり、まつげエクステンション用人工まつげの形状に工夫を加えることによって、まつげエクステンション用人工まつげがまつげから取れないようにしたものである。
【非特許文献】
【００２】  まつげエクステンション用人工まつげに関する特許文献は特に見当たらなかった。
【発明の開示】
【発明が解決しようとする課題】
【００３】  従来の棒状のまつげエクステンション用人工まつげでは、まつげに接着する面積が少なくクレンジング・洗顔等の物理的刺激でまつげから取れてしまう。また接着する際も、接着されない部分がないよう全体を接着するには施術者の高い技術が要求される。本発明は、クレンジング・洗顔等の物理的刺激で取れやすいという不都合を解決することを課題とする。
【課題を解決するための手段】
【００４】  この課題を解決するための請求項１の発明は、袋状にしたことを特徴とする、クレンジング・洗顔等の物理的刺激でまつげから取れないまつげエクステンション用人工まつげである。袋状にしたことによりまつげ全体を包み込んで接着するため接着面積が広がりまつげからまつげエクステンション用人工まつげが抜け落ちることを防止できる。【００５】  また、請求項２の発明は、袋状に一部切れ目を入れたことを特徴とする、クレンジング・洗顔等の物理的刺激でまつげから取れないまつげエクステンション用人工まつげである。袋状にしたことによりまつげ全体を包み込んで接着するため接着面積が広がりまつげからまつげエクステンション用人工まつげが抜け落ちることを防止できる。また、一部に切れ目を有していためまつげの異なる太さに対応し装着できる。
【発明の効果】
【００６】  本発明により、まつげエクステンション用人工まつげがクレンジング・洗顔等の物理的刺激でまつげから取れるという不都合はおきない。また誰でも平易な技術でまつげエクステンションの施術ができる。
【発明を実施するための最良の形態】
【００７】  図１は、袋状にしたことを特徴とする、クレンジング・洗顔等の物理的刺激でまつげから取れないまつげエクステンション用人工まつげをまつげに装着したときの先端から根元方向の断面図である。同図に示すように、袋状に包み込むことで接着面積が広がり物理的刺激で取れない。【００８】    図２は、袋状に一部切れ目を入れたことを特徴とする、クレンジング・洗顔等の物理的刺激で取れないまつげエクステンション用人工まつげをまつげに装着したときの真横からの断面図である。同図に示すように、袋状に包み込むことで接着面積が広がり物理的刺激で取れない。また、一部に切れ目を有していためまつげの異なる太さに対応し装着できる。【００９】  これらのまつげエクステンション用人工まつげの材料は、従来のものと同じナイロンでよい。
【産業上の利用可能性】
【０１０】  本発明に係るまつげエクステンション用人工まつげは、工業的に量産する事が可能であるため、産業上の利用可能性を有する。
【図面の簡単な説明】
【０１１】
【図１】  袋状にしたことを特徴とする、クレンジング・洗顔等の物理的刺激でまつげから取れないまつげエクステンション用人工まつげをまつげに装着したときの先端から根元方向の断面図である。
【図２】  袋状にしたことを特徴とする、クレンジング・洗顔等の物理的刺激でまつげから取れないまつげエクステンション用人工まつげをまつげに装着したときの真横方向からの断面図である。
【図３】  袋状に一部切れ目を入れたことを特徴とする、クレンジング・洗顔等の物理的刺激でまつげから取れないまつげエクステンション用人工まつげをまつげに装着したときの真横方向からの断面図である。
【図４】  従来のまつげエクステンション用人工まつげをまつげに装着したときの真横方向からの断面図である
【符号の説明】
【０１２】１  まつげ
２  袋状にしたことを特徴とするまつげエクステンション用人工まつげ
３  袋状に一部切れ目を入れたことを特徴とするまつげエクステンション用人工まつげ
４  従来のまつげエクステンション用人工まつげ
【図１】
2008285802.tif 000003
【図２】
2008285802.tif 000004
【図３】
2008285802.tif 000005
【図４】
2008285802.tif 000006